(57)【要約】【課題】メタデータに異常がある場合にも、映像データに適切な輝度変換を施すことが可能な画像処理を実現する。【解決手段】映像データ（１２Ｂ）に付加された、映像データ（１２Ｂ）の輝度変換に用いられるメタデータ（１２Ｃ）の異常の有無を判定する判定部（１７）と、判定部（１７）が異常有と判定した場合に、メタデータ（１２Ｃ）とは異なる代替データ（１２Ｄ）を用いて映像データ（１２Ｂ）に輝度変換を施す輝度変換部（１５）とを備える。【選択図】図２
2018038019.tif 000002
【特許請求の範囲】
【請求項１】
映像データに付加された、上記映像データの輝度変換に用いられるメタデータの異常の有無を判定する判定部と、
上記判定部が異常有と判定した場合に、上記メタデータとは異なる代替データを用いて上記映像データに輝度変換を施す輝度変換部と
を備えることを特徴とする画像処理装置。
【請求項２】
上記判定部は、上記メタデータが欠落している場合、または、上記メタデータの値が異常である場合に異常有と判定する
ことを特徴とする請求項１に記載の画像処理装置。
【請求項３】
上記メタデータは、上記映像データが表す映像の輝度に関するメタデータであって
上記メタデータは、上記映像の最大輝度を値として持つ
ことを特徴とする請求項１または２に記載の画像処理装置。
【請求項４】
上記判定部は、上記映像の最大輝度の値が予め定められた範囲外にある場合に、異常有と判定する
ことを特徴とする請求項３に記載の画像処理装置。
【請求項５】
上記メタデータは、上記映像データが表す映像の輝度に関するメタデータであって
上記メタデータは、上記映像を構成する各期間の最大輝度を値として持ち、
上記判定部は、上記映像を構成する期間のうち、時間的に隣接する２つの期間の最大輝度の差が予め定められた閾値を超える場合に、異常有と判定する
ことを特徴とする請求項１または２に記載の画像処理装置。
【請求項６】
映像データを取得すると共に、取得した映像データに付加されたメタデータを記憶部に蓄積する取得部を更に備え、
上記代替データは、上記判定部が異常有と判定した場合に、上記記憶部に蓄積されたメタデータの中で、上記映像と同一内容の映像を表す映像データに付加されたメタデータである、ことを特徴とする請求項１〜５の何れか１項に記載の画像処理装置。
【請求項７】
映像データを取得する取得部と、
上記取得部が取得した映像データを解析することによって、該映像データの輝度に関するメタデータを生成すると共に、生成したメタデータを記憶部に蓄積する生成部を更に備え、
上記代替データは、上記判定部が異常有と判定した場合に、上記記憶部に蓄積されたメタデータの中で、上記映像と同一内容の映像を表す映像データを解析することにより得られたメタデータである、ことを特徴とする請求項１〜５の何れか１項に記載の画像処理装置。
【請求項８】
上記代替データは、ユーザに指定された輝度の値を持つデータである
ことを特徴とする請求項１〜５の何れか１項に記載の画像処理装置。
【請求項９】
請求項１〜８の何れか１項に記載の画像処理装置と、上記映像データを取得するためのチューナーとを備えることを特徴とするテレビジョン受像機。
【請求項１０】
請求項１に記載の画像処理装置としてコンピュータを機能させるための画像処理プログラムであって、上記判定部、および上記輝度変換部としてコンピュータを機能させるための画像処理プログラム。
【請求項１１】
請求項１０に記載の画像処理プログラムを記録したコンピュータ読み取り可能な記録媒体。
【請求項１２】
映像データに付加された、上記映像データが表す映像の輝度に関するメタデータの異常の有無を判定する判定部と、
上記判定部が異常無と判定した場合に、上記メタデータを上記映像データに多重化し、上記判定部が異常有と判定した場合に、上記メタデータとは異なる代替データを上記映像データに多重化する多重化部と
を備えることを特徴とする映像提供装置。
【発明の詳細な説明】
【技術分野】
【０００１】
本発明は画像処理装置、テレビジョン受像機、画像処理システム、画像処理プログラム、記録媒体、および映像提供装置に関する。
【背景技術】
【０００２】
近年、従来使われている標準ダイナミックレンジ映像信号（ＳＤＲ映像信号）よりも大幅に広い範囲の輝度を表現することができる高ダイナミックレンジ映像信号（以下、ＨＤＲ映像信号）が提案されている。
【０００３】
ＨＤＲ映像信号を符号化して得られる映像データには、映像の最大輝度または最大平均輝度等を表すメタデータを付加する場合が多い。この場合、このメタデータは、その映像の再生に適した輝度変換を再生装置側で実行する（例えば、その映像の再生に適したＥＯＴＦ（電気光変換関数）を再生装置側で選択する）ために利用される。
【０００４】
特許文献１には、輝度調節するための情報を、映像等のコンテンツの付加情報として、コンテンツの再生機の内部に記憶する技術が開示されている。また、特許文献２には、コンテンツの映像信号を解析し、コンテンツの映像の特徴点情報を抽出して、コンテンツを再生するときに、コンテンツの映像の出力画質を調整する技術が開示されている。
【先行技術文献】
【特許文献】
【０００５】
【特許文献１】特開２００３−３１９３２４号公報（２００３年１１月７日公開）
【特許文献２】特開２００９−１９４５５０号公報（２００９年８月２７日公開）
【発明の概要】
【発明が解決しようとする課題】
【０００６】
しかしながら、映像データに常にメタデータが付加されているとは限らないし、映像データに付加されているメタデータが常に正常であるとは限らない。すなわち、映像データにメタデータが付加されていない（欠落している）場合、または、映像データに付加されているメタデータの値が異常である場合もあり得る。この場合、その映像の再生に適した輝度変換を再生装置側で実行できない、という問題が生じる。
【０００７】
本発明は、前記の問題点に鑑みてなされたものであり、その目的は、メタデータに異常がある場合にも、映像データに適切な輝度変換を施すことが可能な画像処理を実現することにある。
【課題を解決するための手段】
【０００８】
上記の課題を解決するために、本発明の一態様に係る画像処理装置は、映像データに付加された、上記映像データの輝度変換に用いられるメタデータの異常の有無を判定する判定部と、上記判定部が異常有と判定した場合に、上記メタデータとは異なる代替データを用いて上記映像データに輝度変換を施す輝度変換部とを備えている。
【０００９】
また、本発明の一態様に係る映像提供装置は、映像データに付加された、上記映像データが表す映像の輝度に関するメタデータの異常の有無を判定する判定部と、上記判定部が異常無と判定した場合に、上記メタデータを上記映像データに多重化し、上記判定部が異常有と判定した場合に、上記メタデータとは異なる代替データを上記映像データに多重化する多重化部とを備えている。
【発明の効果】
【００１０】
本発明の一態様によれば、メタデータに異常がある場合にも、映像データに適切な輝度変換を施すことができる、という効果を奏する。
【図面の簡単な説明】
【００１１】
【図１】本発明の実施形態１に係る画像処理装置を搭載したテレビジョン受像機の外観を示す図である。
【図２】本発明の実施形態１に係る画像処理装置における制御のフローチャートである。
【図３】本発明の実施形態１に係る画像処理装置の機能ブロック図である。
【図４】本発明の実施形態２に係る画像処理装置における制御のフローチャートである。
【図５】本発明の実施形態２に係る画像処理装置の機能ブロック図である。
【図６】本発明の実施形態３に係る画像処理装置における制御のフローチャートである。
【図７】本発明の実施形態３に係る画像処理装置の機能ブロック図である。
【図８】本発明の実施形態４に係る画像処理装置を搭載したプレーヤーの外観を示す図である。
【図９】本発明の実施形態４に係る画像処理装置における制御のフローチャートである。
【図１０】本発明の実施形態４に係る画像処理装置の機能ブロック図である。
【図１１】本発明の実施形態５に係る画像処理装置における制御のフローチャートである。
【図１２】本発明の実施形態５に係る画像処理装置の機能ブロック図である。
【図１３】本発明の実施形態６に係る画像処理装置における制御のフローチャートである。
【図１４】本発明の実施形態６に係る画像処理装置の機能ブロック図である。
【発明を実施するための形態】
【００１２】
〔実施形態１〕
以下、本発明の実施の形態について、図１〜図３に基づいて詳細に説明する。
【００１３】
図１は、本実施形態に係る画像処理装置１を備えたテレビジョン受像機１００の外観を示す図である。テレビジョン受像機１００は、画像処理装置１に含まれる表示部１０、および音声出力部１４と、映像データを取得するためのチューナー（不図示）とを備えている。
【００１４】
図２は、本実施形態に係る画像処理装置１の概要を示す機能ブロック図である。
【００１５】
画像処理装置１は、ＨＤＭＩ（High-Definition Multimedia Interface:登録商標）を搭載しており、ＨＤＭＩ受信部１１、音声制御部１３、音声出力部１４、輝度変換部１５、表示制御部１６、表示部１０、判定部１７、および記憶部１８を備えている。
【００１６】
ＨＤＭＩ受信部１１は、ＨＤＭＩケーブルを介して、多重化されている音声データ１２Ａ、映像データ１２Ｂ、およびメタデータ１２Ｃを受信する。ＨＤＭＩ受信部１１は、ＨＤＭＩケーブルを介して、プレーヤー、レコーダ、チューナー等のＡＶ機器等に接続可能である。
【００１７】
ＨＤＭＩ受信部１１は、Ｄｅｍｕｘ（デマルチプレクサ）機能を有しており、受信したデータに対して、逆多重化処理を施し、音声データ１２Ａを音声制御部１３に供給し、映像データ１２Ｂを輝度変換部１５に配給し、メタデータ１２Ｃを判定部１７に供給する。
【００１８】
メタデータ１２Ｃは、映像データ１２Ｂに付加された、映像データ１２Ｂが表す映像の輝度に関するデータである。本実施形態において、メタデータ１２Ｃは、映像データ１２Ｂが表す映像の最大輝度を値として持つ。ここで、最大輝度は、ＨＤＲ映像信号に付加されるＭａｘＣＬＬ（Maximum Content Light Level）のように、各フレームの最大輝度の最大値であってもよいし、ＨＤＲ映像信号に付加されるＭａｘＦＡＬＬ（Maximum Frame Average Light Level）のように、各フレームの平均輝度の最大値であってもよい。参考までに、ＭａｘＣＬＬの定義を下記表１に示し、ＭａｘＦＡＬＬの定義を下記表２に示す。
【００１９】
【表１】
2018038019.tif 000003
【００２０】
【表２】
2018038019.tif 000004
【００２１】
音声制御部１３は、音声データ１２Ａに応じた音声が出力されるよう、音声出力部１４を制御する。
【００２２】
判定部１７は、メタデータ１２Ｃの異常の有無を判定し、メタデータ１２Ｃが欠落している場合、または、メタデータ１２Ｃの値が異常である場合に異常有と判定する。判定部１７は、メタデータ１２Ｃの値が異常無であると判定すると、ＨＤＭＩ受信部１１から取得したメタデータ１２Ｃを輝度変換部１５に提供し、メタデータ１２Ｃが異常有であると判定すると、ＨＤＭＩ受信部１１から取得したメタデータ１２Ｃの代わりに、記憶部１８から読みだした代替データ１２Ｄを輝度変換部１５に提供する。
【００２３】
記憶部１８には、過去にＨＤＭＩ受信部１１から取得され、判定部１７に異常無であると判定されたメタデータ、および当該メタデータが付加されている映像データが蓄積されている。上述した判定部１７は、メタデータ１２Ｃの値が異常無である場合、記憶部１８に蓄積されているメタデータのうち、映像データ１２Ｂが表す映像と同一内容の映像を表す映像データに付加されていたメタデータを、代替データ１２Ｄとして記憶部１８から読みだす。
【００２４】
輝度変換部１５は、映像データ１２Ｂに対して、判定部１７から取得したメタデータ１２Ｃ（メタデータ１２Ｃが異常無である場合）または代替データ１２Ｄ（メタデータ１２Ｃが異常有である場合）が表す最大輝度に応じた輝度変換を行う。例えば、判定部１７から取得したメタデータ１２Ｃまたは代替データ１２Ｄが表す最大輝度に応じたＥＯＴＦを用いて、映像データ１２Ｂに対する輝度変換を行う。
【００２５】
表示制御部１６は、輝度変換部１５に輝度変換された映像データに応じた映像が表示されるよう、表示部１０を制御する。
【００２６】
続いて、図３のフローチャートを参照して、本実施形態に係る画像処理装置１における制御の一例を説明する。
【００２７】
ステップ１０において、ＨＤＭＩ受信部１１は、多重化されている音声データ１２Ａ、映像データ１２Ｂ、およびメタデータ１２Ｃを受信する。また、ＨＤＭＩ受信部１１は、受信したデータに逆多重化処理を施す。
【００２８】
ステップＳ１２において、判定部１７は、メタデータ１２Ｃが欠落しているか、またはメタデータ１２Ｃの値が異常であるかを判定する。上述の通り、判定部１７は、メタデータ１２Ｃが欠落している場合、または、メタデータ１２Ｃの値が異常である場合に異常有と判定する。
【００２９】
判定部１７は、例えば、メタデータ１２Ｃに含まれる、映像データ１２Ｂが表す映像の最大輝度の値が予め定められた範囲外にある場合に、異常有と判定してもよい。
【００３０】
ステップＳ１２において判定部１７が異常有と判定した場合（すなわち、ＹＥＳ）は、ステップＳ１４に移行する。ステップＳ１２において判定部１７が異常無と判定した場合（すなわち、ＮＯ）は、ステップＳ１６に移行する。
【００３１】
ステップＳ１４において、判定部１７は、記憶部１８に蓄積されたメタデータの中で、映像データ１２Ｂが表す映像と同一内容の映像を表す映像データに付加されたメタデータを輝度変換に用いる代替データとする。
【００３２】
ステップＳ１６において、判定部１７は、ＨＤＭＩ受信部１１が受信し、逆多重化したメタデータ１２Ｃを輝度変換に用いるデータとする。
【００３３】
ステップＳ１８において、輝度変換部１５は、代替データまたはメタデータ１２Ｃを用いて映像データ１２Ｂに輝度変換を施す。
【００３４】
すなわち、ステップＳ１８において輝度変換部１５は、判定部１７が異常有と判定した場合に、メタデータ１２Ｃとは異なる、映像データ１２Ｂに関連付けられた代替データを用いて映像データ１２Ｂに輝度変換を施し、判定部１７が異常無と判定した場合に、メタデータ１２Ｃを用いて映像データ１２Ｂに輝度変換を施す。
【００３５】
ステップＳ２０において、表示制御部１６は、輝度変換部１５に輝度変換された映像データに応じた映像が表示されるよう、表示部１０を制御する。
【００３６】
なお、ＨＤＭＩ受信部１１は、次に表示対象となる映像、すなわち、判定部１７にメタデータ１２Ｃを判定されている映像データ１２Ｂが表す映像よりも、時間的に未来の映像を表す映像データに付加されたメタデータを、次に表示対象となる映像を表す映像データ、およびメタデータと共に取得してもよい。そして、輝度変換部１５は、判定部１７がメタデータ１２Ｃに異常有と判定した場合に、代替データとして、時間的に未来の映像を表す映像データに付加されたメタデータを用いて映像データ１２Ｂに輝度変換を施してもよい。
【００３７】
また、メタデータ１２Ｃは、映像データ１２Ｂが表す映像を構成する各期間の最大輝度を値として持っていてもよい。ここで、期間は、フレームであってもよいし、複数のフレームからなるシーンであってもよいし、複数のシーンからなるチャプターであってもよい。各期間の最大輝度は、通常、ゆっくり変化する。したがって、メタデータ１２Ｃに値として含まれる各期間の最大輝度が急激に変化する場合には、メタデータ１２Ｃが異常であると見做すことができる。したがって、映像データ１２Ｂが表す映像を構成する期間のうち、時間的に隣接する２つの期間の最大輝度の差が予め定められた閾値を超える場合に、判定部１７が異常有と判定する構成を採用すれば、メタデータ１２Ｃの以上を適切に検出することが可能である。
【００３８】
〔実施形態２〕
本発明の他の実施形態について、図４〜図５に基づいて説明すれば、以下のとおりである。なお、説明の便宜上、前記実施形態にて説明した部材と同じ機能を有する部材については、同じ符号を付記し、その説明を省略する。
【００３９】
本実施形態の画像処理装置２は、図４に示されるように、生成部２７を備える点で実施形態１と異なる。
【００４０】
画像処理装置２は、実施形態１と同様にＨＤＭＩを搭載しており、ＨＤＭＩ受信部１１、音声制御部１３、音声出力部１４、輝度変換部１５、表示制御部１６、表示部１０、生成部２７、記憶部２８、および判定部２９を備えている。
【００４１】
生成部２７は、ＨＤＭＩ受信部１１が供給する映像データ１２Ｂを取得する。生成部２７は、映像データ１２Ｂを解析することによって、映像データ１２Ｂの輝度に関するメタデータ１２Ｄを生成する。生成部２７は、生成したメタデータ１２Ｄを、メタデータ１２Ｄに対応する映像データ１２Ｂと共に記憶部２８に蓄積させる。
【００４２】
記憶部２８には、過去に生成部２７が映像データを解析することによって生成したメタデータ１２Ｄ、および当該メタデータ１２Ｄと対応する映像データが蓄積されている。本実施形態の判定部２９は、メタデータ１２Ｃの値が異常無である場合、代替データとして、生成部２７により生成され記憶部２８に蓄積されているメタデータのうち、映像データ１２Ｂが表す映像を解析することにより得られたメタデータを、代替データ１２Ｄとして記憶部２８から読みだす。
【００４３】
続いて、図５のフローチャートを参照して、本実施形態に係る画像処理装置２における制御の、実施形態１に係る画像処理装置１における制御と異なる点を説明する。
【００４４】
ステップＳ１２において判定部２９が異常有と判定した場合（すなわち、ＹＥＳ）は、ステップＳ３０に移行する。
【００４５】
ステップＳ３０において、判定部２９は、記憶部２８に蓄積されたメタデータの中で、映像データ１２Ｂが表す映像と同一内容の映像を表す映像データを解析することにより得られたメタデータを輝度変換に用いる代替データとする。
【００４６】
なお、生成部２７は、連続する映像全てを表す映像データに対して輝度変換に用いるデータを生成するだけでなく、例えばチャプター毎、シーンチェンジ毎、フレーム単位毎、均等時間割毎等で、複数の輝度変換に用いるデータを生成してもよい。
【００４７】
〔実施形態３〕
本発明の他の実施形態について、図６〜図７に基づいて説明すれば、以下のとおりである。なお、説明の便宜上、前記実施形態にて説明した部材と同じ機能を有する部材については、同じ符号を付記し、その説明を省略する。
【００４８】
本実施形態の画像処理装置３は、図６に示されるように、記憶部を備えず、入力受付部３１を備える点で実施形態１と異なる。
【００４９】
画像処理装置３は、実施形態１と同様にＨＤＭＩを搭載しており、ＨＤＭＩ受信部１１、音声制御部１３、音声出力部１４、輝度変換部１５、表示制御部１６、表示部１０、入力受付部３１、および判定部３２を備えている。
【００５０】
入力受付部３１は、ユーザに指定された輝度の値を持つデータの入力を受け付ける。
【００５１】
続いて、図７のフローチャートを参照して、本実施形態に係る画像処理装置３における制御の、実施形態１に係る画像処理装置１における制御と異なる点を説明する。
【００５２】
ステップＳ１２において判定部３２が異常有と判定した場合（すなわち、ＹＥＳ）は、ステップＳ４０に移行する。
【００５３】
ステップＳ４０において、入力受付部３１は、ユーザに指定された輝度の値を持つデータの入力を受け付ける。そして判定部３２は、ユーザに指定された輝度に関するデータを輝度変換に用いる代替データ１２Ｄとする。
【００５４】
〔実施形態４〕
本発明の他の実施の形態について、図８〜図１０に基づいて詳細に説明する。
【００５５】
図８は、本実施形態に係る映像提供装置４の外観を示す図である。映像提供装置４は、ハードディスク、ブルーレイディスク、ＤＶＤディスク等の記録媒体（不図示）を映像提供装置４内に挿入するための挿入口４０を備えている。
【００５６】
記録媒体には、エンコードされている音声データ、映像データ、およびメタデータが記録されている。
【００５７】
図９は、本実施形態に係る映像提供装置４の概要を示す機能ブロック図である。
【００５８】
映像提供装置４は、ＨＤＭＩを搭載しており、読取部４１、デコーダ４２、判定部４４、記憶部４５、マルチプレクサ（Ｍｕｘ）４７、およびＨＤＭＩ送信部４８を備えている。
【００５９】
読取部４１は、挿入口４０に挿入された記録媒体から、エンコードされている音声データ、映像データ、およびメタデータを読み取る。
【００６０】
デコーダ４２は、エンコードされている音声データ、映像データ、およびメタデータをデコードし、音声データ４３ＡをＭｕｘ４７に供給し、映像データ４３ＢをＭｕｘ４７に配給し、メタデータ４３Ｃを判定部４４および記憶部４５に供給する。
【００６１】
メタデータ４３Ｃは、映像データ４３Ｂに付加された、映像データ４３Ｂが表す映像の輝度に関するデータである。本実施形態においても、実施形態１と同様に、メタデータ４３Ｃは、映像データ４３Ｂが表す映像の最大輝度を値として持つ。
【００６２】
判定部４４は、メタデータ４３Ｃの異常の有無を判定し、メタデータ４３Ｃが欠落している場合、または、メタデータ４３Ｃの値が異常である場合に異常有と判定する。判定部４４は、メタデータ４３Ｃの値が異常無であると判定すると、デコーダ４２から取得したメタデータ４３ＣをＭｕｘ４７に提供し、メタデータ４３Ｃが異常有であると判定すると、デコーダ４２から取得したメタデータ４３Ｃの代わりに、記憶部４５から読みだした代替データ４３ＤをＭｕｘ４７に提供する。
【００６３】
記憶部４５には、過去にデコーダ４２から取得され、判定部４４に異常無であると判定されたメタデータ、および当該メタデータが付加されている映像データが蓄積されている。上述した判定部４４は、メタデータ４３Ｃの値が異常無である場合、代替データ４３Ｄとして、記憶部４５に蓄積されているメタデータのうち、映像データ４３Ｂが表す映像と同一内容の映像を表す映像データに付加されていたメタデータを、代替データ４３Ｄとして記憶部４５から読みだす。
【００６４】
Ｍｕｘ４７は、音声データ４３Ａ、映像データ４３Ｂ、およびメタデータを多重化する。どのメタデータを多重化するかは判定部４４の判定による。
【００６５】
ＨＤＭＩ送信部４８は、多重化されたデータを、輝度変換処理をする機構を有する画像処理装置へ送信する。
【００６６】
続いて、図１０のフローチャートを参照して、本実施形態に係る映像提供装置４における制御の一例を説明する。
【００６７】
ステップＳ５０において、読取部４１は、エンコードされている音声データ、映像データ、およびメタデータを読み取る。
【００６８】
ステップＳ５２において、デコーダ４２は、エンコードされている音声データ、映像データ、およびメタデータをデコードする。
【００６９】
ステップＳ５４において、判定部４４は、メタデータ４３Ｃが欠落しているか、またはメタデータ４３Ｃの値が異常であるかを判定する。上述の通り、判定部４４は、メタデータ４３Ｃが欠落している場合、または、メタデータ４３Ｃの値が異常である場合に異常有と判定する。判定部４４は、メタデータ４３Ｃの判定を、実施形態１と同様の方法で行ってよい。
【００７０】
ステップＳ５４において判定部４４が異常有と判定した場合（すなわち、ＹＥＳ）は、ステップＳ５６に移行する。ステップＳ５４において判定部４４が異常無と判定した場合（すなわち、ＮＯ）は、ステップＳ５８に移行する。
【００７１】
ステップＳ５６において、判定部４４は、記憶部４５に蓄積されたメタデータの中で、映像データ４３Ｂが表す映像と同一内容の映像を表す映像データに付加された代替データ４３Ｄを輝度変換に用いる代替データとする。
【００７２】
ステップＳ５８において、判定部４４は、デコーダ４２がデコードしたメタデータ４３Ｃを輝度変換に用いるデータとする。
【００７３】
ステップＳ６０において、Ｍｕｘ４７は、音声データ４３Ａ、映像データ４３Ｂ、およびメタデータを多重化する。
【００７４】
すなわち、ステップＳ６０においてＭｕｘ４７は、判定部４４が異常有と判定した場合に、メタデータ４３Ｃとは異なる、映像データ４３Ｂに関連付けられた代替データ４３Ｄを多重化し、判定部４４が異常無と判定した場合に、メタデータ４３Ｃを用いて多重化する。
【００７５】
ステップＳ６２において、ＨＤＭＩ送信部４８は、Ｍｕｘ４７が多重化したデータを、画像処理装置の受信部へ送信する。
【００７６】
また、１枚の記録媒体が、複数の映像データを記録しているときがある。このときには、複数の映像データの各々に付加されるメタデータもそれぞれ記録媒体に記録されている。このようなときにおいて、何れかの映像データに付加されたメタデータが判定部４４に異常有と判定された場合は、判定部４４は、同じ記録媒体に記録されている別の映像データに付加されたメタデータを、異常有と判定されたメタデータの代替データとして、輝度変換に用いてもよい。同じ記録媒体に記録されている映像データ同士は、同様のメタデータが付加される可能性が高いからである。
【００７７】
なお、判定部４４が、輝度変換に用いるデータとして採用するデータは、判定部４４が異常無と判定したデータである。
【００７８】
また、例えば異常有のメタデータが付加された映像データが、放送番組のデータであった場合は、放送番組のチャンネル情報、番組タイトル、番組ジャンル（ドラマ、ニューズ、バラエティ、映画等）、番組への出演者、番組の司会者等から、類似した放送番組のデータを検索してもよい。
【００７９】
また、映像データが、放送番組のデータであった場合は、放送のネットワーク情報を予め記憶部４５に蓄積しておき、記憶部４５に蓄積されている放送のネットワーク情報から、異常有のメタデータが付加された映像データに類似した放送番組のデータを検索してもよい。
【００８０】
なお、読取部４１は、次に表示対象となる映像、すなわち、判定部が４４メタデータを判定している映像データ４３Ｂが表す映像よりも、時間的に未来の映像を表す映像データに付加されたメタデータを、次に表示対象となる映像を表す映像データ４３Ｂ、およびメタデータ４３Ｃと共に取得してもよい。そして、Ｍｕｘ４７は、判定部４４がメタデータ４３Ｃに異常有と判定した場合に、代替データとして、時間的に未来の映像を表す映像データに付加されたメタデータを用いて多重化処理を実施してもよい。
【００８１】
〔実施形態５〕
本発明の他の実施形態について、図１１〜図１２に基づいて説明すれば、以下のとおりである。なお、説明の便宜上、前記実施形態にて説明した部材と同じ機能を有する部材については、同じ符号を付記し、その説明を省略する。
【００８２】
本実施形態の映像提供装置５は、図１１に示されるように、生成部５２を備える点で実施形態４と異なる。
【００８３】
映像提供装置５は、実施形態４と同様にＨＤＭＩを搭載しており、読取部４１、デコーダ４２、生成部５２、記憶部５３、判定部５４、マルチプレクサ（Ｍｕｘ）４７、およびＨＤＭＩ送信部４８を備えている。
【００８４】
生成部５２は、デコーダ４２が供給する映像データ４３Ｂを取得する。生成部５２は、映像データ４３Ｂを解析することによって、映像データ４３Ｂの輝度に関するメタデータ４３Ｄを生成する。生成部５２は、生成したメタデータ４３Ｄを、メタデータ４３Ｄに対応する映像データ４３Ｂと共に記憶部５３に蓄積させる。
【００８５】
記憶部５３には、過去に生成部５２が映像データを解析することによって生成したメタデータ４３Ｄ、および当該メタデータ４３Ｄと対応する映像データが蓄積されている。本実施形態の判定部５４は、メタデータ４３Ｃの値が異常無である場合、代替データとして、生成部５２により生成され、記憶部５３に蓄積されているメタデータのうち、映像データ４３Ｂが表す映像を解析することにより得られたメタデータを、代替データ４３Ｄとして記憶部５３から読みだす。
【００８６】
続いて、図１２のフローチャートを参照して、本実施形態に係る映像提供装置５における制御の、実施形態４に係る映像提供装置４における制御と異なる点を説明する。
【００８７】
ステップＳ５４において判定部５４が異常有と判定した場合（すなわち、ＹＥＳ）は、ステップＳ７０に移行する。
【００８８】
ステップＳ７０において、判定部５４は、記憶部５３に蓄積されたメタデータの中で、生成部５２によって予め生成された、映像データ４３Ｂが表す映像と同一内容の映像を表す映像データを解析することにより得られたメタデータ４３Ｄを輝度変換に用いる代替データとする。
【００８９】
〔実施形態６〕
本発明の他の実施形態について、図１３〜図１４に基づいて説明すれば、以下のとおりである。なお、説明の便宜上、前記実施形態にて説明した部材と同じ機能を有する部材については、同じ符号を付記し、その説明を省略する。
【００９０】
映像提供装置６は、実施形態４と同様にＨＤＭＩを搭載しており、読取部４１、デコーダ４２、入力受付部６１、判定部６２、マルチプレクサ（Ｍｕｘ）４７、およびＨＤＭＩ送信部４８を備えている。
【００９１】
本実施形態のメタデータ判定装置は、図１３に示されるように、記憶部を備えず、入力受付部６１を備える点で実施形態１と異なる。
【００９２】
入力受付部６１は、ユーザに指定された輝度の値を持つデータの入力を受け付ける。
【００９３】
続いて、図１４のフローチャートを参照して、本実施形態に係る映像提供装置６における制御の、実施形態４に係るにおける映像提供装置４における制御と異なる点を説明する。
【００９４】
ステップＳ５４において判定部６２が異常有と判定した場合（すなわち、ＹＥＳ）は、ステップＳ８０に移行する。
【００９５】
ステップＳ８０において、入力受付部６１は、ユーザに指定された輝度の値を持つデータの入力を受け付ける。そして判定部６２は、ユーザに指定された輝度に関するデータを輝度変換に用いる代替データ４３Ｄとする。
【００９６】
なお、上記実施形態１〜６では、メタデータに異常有と判定された場合、メタデータが付加されている映像データに応じて、輝度変換に用いるデータを置き換えているが、これに限らず、映像を表示する表示部の表示能力に応じて輝度変換に用いるデータを置き換えてもよい。
【００９７】
また、上記実施形態１〜２では画像処理装置に備わる記憶部に、上記実施形態４〜５では映像提供装置に備わる記憶部に映像データおよびメタデータを蓄積するが、外部のサーバに蓄積してもよい。
【００９８】
また、映像の再生途中に、メタデータに異常有と判定された場合には、異常有と判定される時点以前に取得したメタデータに応じて、異常有と判定された時点後の映像の映像データに対して輝度変換を施してもよい。
【００９９】
〔ソフトウェアによる実現例〕
画像処理装置１，２，３の制御ブロック（特に判定部１７，２９，３２および輝度変換部１５）は、集積回路（ＩＣチップ）等に形成された論理回路（ハードウェア）によって実現してもよいし、ＣＰＵ（Central Processing Unit）を用いてソフトウェアによって実現してもよい。
【０１００】
後者の場合、メタデータ判定装置は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０１】
〔まとめ〕
本発明の態様１に係る画像処理装置１，２，３は、映像データ１２Ｂに付加された、上記映像データ１２Ｂが表す映像の輝度に関するメタデータ１２Ｃであって、上記映像データ１２Ｂの輝度変換に用いられるメタデータ１２Ｃの異常の有無を判定する判定部１７，２９，３２であって、上記メタデータ１２Ｃが欠落している場合、または、上記メタデータ１２Ｃの値が異常である場合に異常有と判定する判定部１７，２９，３２と、上記判定部１７，２９，３２が異常有と判定した場合に、上記メタデータ１２Ｃとは異なる代替データであって、上記映像データ１２Ｂに関連付けられた代替データを用いて上記映像データ１２Ｂに輝度変換を施す輝度変換部とを備えている。
【０１０２】
上記の構成によれば、映像データに付加されたメタデータの値が異常である場合にも、映像データに適切な輝度変換を施すことができる。
【０１０３】
本発明の態様２に係る画像処理装置１，２，３は、上記態様１において、上記メタデータは、上記映像の最大輝度を値として持っていてもよい。
【０１０４】
上記の構成によれば、メタデータ１２Ｃの値の異常の判定が容易になる。
【０１０５】
本発明の態様３に係る画像処理装置１，２，３は、上記態様１または２において、上記判定部１７，２９，３２は、上記映像の最大輝度の値が予め定められた範囲外にある場合に、異常有と判定してもよい。
【０１０６】
上記の構成によれば、メタデータ１２Ｃの値の異常の判定が容易になる。
【０１０７】
本発明の態様４に係る画像処理装置１，２，３は、上記態様１または２において、上記メタデータは、上記映像を構成する各期間の最大輝度を値として持ち、上記判定部１７，２９，３２は、上記映像を構成する期間のうち、時間的に隣接する２つの期間の最大輝度の値の差が予め定められた閾値を超える場合に、異常有と判定してもよい。
【０１０８】
上記の構成によれば、メタデータ１２Ｃの値の異常の判定が容易になる。
【０１０９】
本発明の態様５に係る画像処理装置１は、上記態様１〜４の何れか１態様において、映像データを取得すると共に、取得した映像データに付加されたメタデータを記憶部１８に蓄積する取得部（ＨＤＭＩ受信部１１）を更に備え、上記代替データは、上記判定部１７が異常有と判定した場合に、上記記憶部１８に蓄積されたメタデータの中で、上記映像と同一内容の映像を表す映像データに付加されたメタデータであってもよい。
【０１１０】
上記の構成によれば、過去に取得した適切なメタデータによって、映像データに輝度変換を施すことができる。
【０１１１】
本発明の態様６に係る画像処理装置２は、上記態様１〜４の何れか１態様において、映像データを取得する取得部（ＨＤＭＩ受信部１１）と、上記取得部（ＨＤＭＩ受信部１１）が取得した映像データを解析することによって、該映像データの輝度に関するメタデータを生成すると共に、生成したメタデータを記憶部２８に蓄積する生成部２７を更に備え、上記代替データは、上記判定部２９が異常有と判定した場合に、上記記憶部２８に蓄積されたメタデータの中で、上記映像と同一内容の映像を表す映像データを解析することにより得られたメタデータであってもよい。
【０１１２】
上記の構成によれば、映像データを解析することにより得られた適切なメタデータによって、映像データに輝度変換を施すことができる。
【０１１３】
本発明の態様７に係る画像処理装置は、上記態様１〜４の何れか１態様において、上記代替データは、ユーザに指定された上記映像データが表す映像の輝度に関するデータであってもよい。
【０１１４】
上記の構成によれば、ユーザが希望する映像を表示するための輝度変換を映像データに施すことができる。
【０１１５】
本発明の態様８に係るテレビジョン受像機は、上記態様１〜７の何れか１態様に記載の画像処理装置と、上記映像データを取得するためのチューナーとを備えている。
【０１１６】
本発明の態様９に係る映像提供装置４，５，６は、映像データ４３Ｂに付加された、上記映像データ４３Ｂが表す映像の輝度に関するメタデータ４３Ｃの異常の有無を判定する判定部４４，５４，６２であって、上記メタデータ４３Ｃが欠落している場合、または、上記メタデータ４３Ｃの値が異常である場合に異常有と判定する判定部４４，５４，６２と、上記判定部４４，５４，６２が異常無と判定した場合に、上記メタデータ４３Ｃを上記映像データ４３Ｂに多重化し、上記判定部４４，５４，６２が異常有と判定した場合に、上記メタデータとは異なる代替データであって、上記映像データ４３Ｂに関連付けられた代替データを上記映像データ４３Ｂに多重化する多重化部（Ｍｕｘ４７）とを備えている。
【０１１７】
上記の構成によれば、映像データに付加されたメタデータの値が異常である場合にも、映像データに適切な輝度変換を施すことができる。
【０１１８】
本発明の各態様に係るメタデータ判定装置は、コンピュータによって実現してもよく、この場合には、コンピュータを上記メタデータ判定装置が備える各部（ソフトウェア要素）として動作させることにより上記メタデータ判定装置をコンピュータにて実現させるメタデータ判定装置のメタデータ判定プログラム、およびそれを記録したコンピュータ読み取り可能な記録媒体も、本発明の範疇に入る。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２０】
１００  テレビジョン受像機
１，２，３  画像処理装置
４，５，６  映像提供装置
１１  ＨＤＭＩ受信部（取得部）
１５  輝度変換部
１７，２９，３２，４４，５４，６２  判定部
１８，２８  記憶部
２７  生成部
４７  マルチプレクサ（多重化部）
【図１】
2018038019.tif 000005
【図２】
2018038019.tif 000006
【図３】
2018038019.tif 000007
【図４】
2018038019.tif 000008
【図５】
2018038019.tif 000009
【図６】
2018038019.tif 000010
【図７】
2018038019.tif 000011
【図８】
2018038019.tif 000012
【図９】
2018038019.tif 000013
【図１０】
2018038019.tif 000014
【図１１】
2018038019.tif 000015
【図１２】
2018038019.tif 000016
【図１３】
2018038019.tif 000017
【図１４】
2018038019.tif 000018
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
映像データに付加された、上記映像データの輝度変換に用いられるメタデータの異常の有無を判定する判定部と、
上記判定部が異常有と判定した場合に、上記メタデータとは異なる代替データを用いて上記映像データに輝度変換を施す輝度変換部と
を備え、
上記メタデータは、上記映像データが表す映像の輝度に関するメタデータであって
上記メタデータは、上記映像を構成する各期間の最大輝度を値として持ち、
上記判定部は、上記映像を構成する期間のうち、時間的に隣接する２つの期間の最大輝度の差が予め定められた閾値を超える場合に、異常有と判定することを特徴とする画像処理装置。
【請求項２】
上記判定部は、上記メタデータが欠落している場合、または、上記メタデータの値が異常である場合に異常有と判定する
ことを特徴とする請求項１に記載の画像処理装置。
【請求項３】
上記判定部は、上記映像の最大輝度の値が予め定められた範囲外にある場合に、異常有と判定する
ことを特徴とする請求項１に記載の画像処理装置。
【請求項４】
映像データを取得すると共に、取得した映像データに付加されたメタデータを記憶部に蓄積する取得部を更に備え、
上記代替データは、上記判定部が異常有と判定した場合に、上記記憶部に蓄積されたメタデータの中で、上記映像と同一内容の映像を表す映像データに付加されたメタデータである、ことを特徴とする請求項１〜３の何れか１項に記載の画像処理装置。
【請求項５】
映像データを取得する取得部と、
上記取得部が取得した映像データを解析することによって、該映像データの輝度に関するメタデータを生成すると共に、生成したメタデータを記憶部に蓄積する生成部を更に備え、
上記代替データは、上記判定部が異常有と判定した場合に、上記記憶部に蓄積されたメタデータの中で、上記映像と同一内容の映像を表す映像データを解析することにより得られたメタデータである、ことを特徴とする請求項１〜３の何れか１項に記載の画像処理装置。
【請求項６】
上記代替データは、ユーザに指定された輝度の値を持つデータである
ことを特徴とする請求項１〜３の何れか１項に記載の画像処理装置。
【請求項７】
請求項１〜６の何れか１項に記載の画像処理装置と、上記映像データを取得するためのチューナーとを備えることを特徴とするテレビジョン受像機。
【請求項８】
請求項１に記載の画像処理装置としてコンピュータを機能させるための画像処理プログラムであって、上記判定部、および上記輝度変換部としてコンピュータを機能させるための画像処理プログラム。
【請求項９】
請求項８に記載の画像処理プログラムを記録したコンピュータ読み取り可能な記録媒体。
【請求項１０】
映像データに付加された、上記映像データが表す映像の輝度に関するメタデータの異常の有無を判定する判定部と、
上記判定部が異常無と判定した場合に、上記メタデータを上記映像データに多重化し、上記判定部が異常有と判定した場合に、上記メタデータとは異なる代替データを上記映像データに多重化する多重化部と
を備え、
上記メタデータは、上記映像データが表す映像の輝度に関するメタデータであって
上記メタデータは、上記映像を構成する各期間の最大輝度を値として持ち、
上記判定部は、上記映像を構成する期間のうち、時間的に隣接する２つの期間の最大輝度の差が予め定められた閾値を超える場合に、異常有と判定することを特徴とする映像提供装置。
【請求項１１】
上記判定部は、上記映像の最大輝度の値が予め定められた範囲外にある場合に、異常有と判定する
ことを特徴とする請求項１０に記載の映像提供装置。